(57)【要約】【課題】ＶｏＩＰ電話システムにおいて、電話端末に保留、転送などの付加機能を設けることなく、保留、転送の機能を実現できる。【解決手段】呼に関する制御系メッセージを授受する主装置１２Ａとは別個に音声データの伝送路を形成するための音声データ伝送路制御手段１５Ａを設ける。音声データ伝送路制御手段には、主装置１２Ａから発信側および着信側における音声データの送受のためのアドレス情報を伝える。主装置１２Ａは、また、発信側と着信側とには、音声データ伝送路制御手段における音声データの授受のためのアドレス情報を伝える。発信側および着信側が、音声データの伝送の相手先のアドレス情報として、音声データ伝送路制御手段における音声データの授受のためのアドレス情報を用いることにより、音声データは、音声データ伝送路制御手段を介して発信側と着信側との間で伝送するようにする。【選択図】        図１６
2004320289.tif 000002
【特許請求の範囲】
【請求項１】
ＩＰ（Ｉｎｔｅｒｎｅｔ  ｐｒｏｔｏｃｏｌ）ネットワークからなるローカルエリアネットワークに接続される複数個のＶｏＩＰ電話端末と、
前記ローカルエリアネットワークに接続され、呼に関連する制御系メッセージを授受し、通信を制御するための主装置手段と、
前記ローカルエリアネットワークに接続され、前記ＶｏＩＰ電話端末と相手端末との間における音声データの伝送路を形成するための音声データ伝送路制御手段と、
からなるＶｏＩＰ電話システムであって、
前記主装置手段は、
前記音声データ伝送路制御手段に対して、発信側と着信側とにおける前記音声データの送受のためのアドレス情報を伝える手段と、
前記発信側と着信側とに対して、前記音声データ伝送路制御手段における前記音声データの授受のためのアドレス情報を伝える手段と、
を備え、
前記発信側および着信側が、前記音声データの伝送の相手先のアドレス情報として、前記音声データ伝送路制御手段における前記音声データの授受のためのアドレス情報を用いることにより、前記音声データは、前記音声データ伝送路制御手段を介して前記発信側と前記着信側との間で伝送されるようにした
ことを特徴とするＶｏＩＰ電話システム。
【請求項２】
請求項１に記載のＶｏＩＰ電話システムにおいて、
前記主装置手段は、前記発信側と着信側との間で通話中に、いずれか一方の端末から保留要求を受け取ったときに、当該保留要求に基づく接続変更要求を前記音声データ伝送路制御手段に送出する手段を備え、
前記音声データ伝送路制御手段は、前記保留要求に基づく接続変更要求を受け取ったときに、前記保留要求してきた端末の相手方端末と当該音声データ伝送路制御手段との間の音声データ伝送路を保持する手段を備える
ことを特徴とするＶｏＩＰ電話システム。
【請求項３】
請求項２に記載のＶｏＩＰ電話システムにおいて、
前記音声データ伝送路制御手段は、前記保留中において、前記保留要求してきた端末の相手方端末に保留音を送出する手段を備える
ことを特徴とするＶｏＩＰ電話システム。
【請求項４】
請求項２または請求項３に記載のＶｏＩＰ電話システムにおいて、
前記主装置手段は、
前記保留中の呼の転送先となる他の端末における前記音声データの授受のためのアドレス情報を前記音声データ伝送路制御手段に送出する手段と、
前記転送先の他の端末に対して、前記音声データ伝送路制御手段における前記音声データの授受のためのアドレス情報を伝える手段と
を備え、
前記音声データ伝送路制御手段は、
前記保留中の呼の転送先となる前記他の端末における前記音声データの授受のためのアドレス情報を前記主装置手段から受け取る手段と、
前記保留要求してきた端末からの前記他の端末への転送要求を前記主装置手段を介して受けて、前記保留要求してきた端末の相手方端末と、前記他の端末との間で、当該音声データ伝送路制御手段を経由した音声データの授受を行なうように制御する手段と、
を備えることを特徴とするＶｏＩＰ電話システム。
【請求項５】
ＩＰネットワークからなるローカルエリアネットワークに接続される複数個のＶｏＩＰ電話端末と、
前記ローカルエリアネットワークに接続され、前記ＶｏＩＰ電話端末と相手端末との間における通信を制御するための主装置と、
からなるＶｏＩＰ電話システムであって、
前記主装置は、
呼に関連する制御系メッセージの授受を行なう呼制御手段と、
前記ＶｏＩＰ電話端末と、前記相手端末との間における音声データの伝送路を形成するための音声データ伝送路制御手段と、
前記音声データ伝送路制御手段に対して、発信側と着信側とにおける前記音声データの送受のためのアドレス情報を伝える手段と、
前記発信側および着信側に対して、前記音声データ伝送路制御手段における前記音声データの授受のためのアドレス情報を伝える手段と、
を備え、
前記発信側および着信側が、前記音声データの伝送の相手先のアドレス情報として、前記音声データ伝送路制御手段における前記音声データの授受のためのアドレス情報を用いることにより、前記音声データは、前記音声データ伝送路制御手段を介して前記発信側と前記着信側との間で伝送されるようにした
ことを特徴とするＶｏＩＰ電話システム。
【請求項６】
請求項５に記載のＶｏＩＰ電話システムにおいて、
前記主装置は、前記発信側と前記着信側との間で通話中に、その一方の端末から保留要求を受け取ったときに、前記音声データ伝送路制御手段により、当該保留要求をしてきた端末の相手端末と当該音声データ伝送路制御手段との間の音声データ伝送路を保持させるようにする
ことを特徴とするＶｏＩＰ電話システム。
【請求項７】
請求項６に記載のＶｏＩＰ電話システムにおいて、
前記主装置は、前記保留中においては、前記保留要求してきた端末の相手方端末に保留音を送出する手段を備える
ことを特徴とするＶｏＩＰ電話システム。
【請求項８】
請求項６または請求項７に記載のＶｏＩＰ電話システムにおいて、
前記主装置は、
前記保留中の呼の転送先となる他の端末における前記音声データの授受のためのアドレス情報を、前記音声データ伝送路制御手段に通知する手段と、
前記保留要求してきた端末からの前記他の端末への転送要求を受けて、前記保留要求してきた端末の相手方端末と、前記他の端末との間で、前記音声データ伝送路制御手段を経由した音声データの授受を行なうように制御する手段と、
を備えることを特徴とするＶｏＩＰ電話システム。
【請求項９】
ＩＰネットワークを通じて電話端末間において電話通信を行なうＶｏＩＰ電話通信方法において、
呼に関する制御系メッセージを授受する呼制御手段とは別個に音声データの伝送路を形成するための音声データ伝送路制御手段を設けると共に、
前記音声データ伝送路制御手段に、発信側および着信側における前記音声データの送受のためのアドレス情報を伝える工程と、
前記発信側と前記着信側とに対して、前記音声データ伝送路制御手段における前記音声データの授受のためのアドレス情報を伝える工程と、
を備え、
前記発信側および着信側が、前記音声データの伝送の相手先のアドレス情報として、前記音声データ伝送路制御手段における前記音声データの授受のためのアドレス情報を用いることにより、前記音声データは、前記音声データ伝送路制御手段を介して前記発信側と前記着信側との間で伝送するようにした
ことを特徴とするＶｏＩＰ電話システムにおける通信制御方法。
【請求項１０】
請求項９に記載のＶｏＩＰ電話システムにおける通信制御方法において、
前記発信側と前記着信側との間で通話中に、いずれか一方の端末から保留要求を受け取ったときに、当該保留要求に基づく接続変更要求を前記音声データ伝送路制御手段に送出する工程と、
前記保留要求に基づく接続変更要求を受け取った前記音声データ伝送路制御手段が、前記保留要求してきた端末の相手方端末と当該音声データ伝送路制御手段との間の音声データ伝送路を保持する工程と、
を備えることを特徴とするＶｏＩＰ電話システムにおける通信制御方法。
【請求項１１】
請求項１０に記載のＶｏＩＰ電話システムにおける通信制御方法において、
前記音声データ伝送路を保留する工程においては、前記保留要求してきた端末の相手方端末に対して保留音を前記音声データ伝送路制御手段から送るようにする
ことを特徴とするＶｏＩＰ電話システムにおける通信制御方法。
【請求項１２】
請求項１０または請求項１１に記載のＶｏＩＰ電話システムにおける通信制御方法において、
前記保留中の呼の転送先となる他の端末における前記音声データの授受のためのアドレス情報を前記音声データ伝送路制御手段に送る工程と、
前記転送先の他の端末に対して、前記音声データ伝送路制御手段における前記音声データの授受のためのアドレス情報を伝える工程と、
前記他の端末への転送要求を受けたときに、前記保留要求してきた端末の相手方端末と、前記他の端末との間で、前記音声データ伝送路制御手段を経由した音声データの授受を行なうように制御する工程と、
を備えることを特徴とするＶｏＩＰ電話システムにおける通信制御方法。
【発明の詳細な説明】
【０００１】
【発明の属する技術分野】
この発明は、ＶｏＩＰ（Ｖｏｉｃｅ  ｏｖｅｒ  Ｉｎｔｅｒｎｅｔ  Ｐｒｏｔｏｃｏｌ）電話システムおよびＶｏＩＰ電話システムにおける通信制御方法に関する。
【０００２】
【従来の技術】
インターネットやイントラネットのようなＩＰ（Ｉｎｔｅｒｎｅｔ  Ｐｒｏｔｏｃｏｌ）ネットワークを利用して音声信号を送る技術であるＶｏＩＰを用いて中継交換を行ない、電話通信サービスを行なうようにするＩＰ電話が提供されている。
【０００３】
このＩＰ電話においては、発信側と受信側とはそれぞれに割り当てられたＩＰアドレスを用いて、電話音声をＩＰパケットにより伝送することにより、通話が可能となるものであり、安価な通話料で通話が可能となるため、普及が拡大している。
【０００４】
そして、例えば特許文献１（特開２０００−３２０５７号公報）や特許文献２（特開２００１−２８５３５８号公報）などに記載されているように、このＩＰ電話においても、従来からの電話と同様に、話中に着信があった場合に、予め設定された転送先に転送する機能などをＩＰ電話機に設けることが提案されている。
【０００５】
【特許文献１】
特開２０００−３２０５７号公報。
【特許文献２】
特開２００１−２８５３５８号公報。
【０００６】
【発明が解決しようとする課題】
ところで、上述のＩＰ電話サービスを用いた電話通信においても、例えば企業向けのボタン電話システムと同様のサービスを提供できるＶｏＩＰ電話システムが考えられている。図２４は、このＶｏＩＰ電話システムを用いた通信網の概要を説明するための図である。
【０００７】
図２４において、１Ａおよび１Ｂは、それぞれＶｏＩＰ電話システムを示すもので、それぞれ一つのＬＡＮ（Ｌｏｃａｌ  Ａｒｅａ  Ｎｅｔｗｏｒｋ）を形成している。そして、各ＶｏＩＰ電話システム１Ａ，１Ｂは、例えばインターネットなどのＩＰネットワーク２を通じて接続される。この場合、例えば、ＶｏＩＰ電話システム１Ａは東京本社用のシステムとし、ＶｏＩＰ電話システム１Ｂは大阪支社用のシステムとすることができる。
【０００８】
ＶｏＩＰ電話システム１Ａ，１Ｂのそれぞれは、ケーブルや無線による接続方式で構成されるＬＡＮ１１ＡおよびＬＡＮ１１Ｂのそれぞれに対して、主装置１２Ａおよび１２Ｂと、複数のＶｏＩＰ用電話端末（以下、説明の簡単のため、単に電話端末という）１３Ａ１，１３Ａ２，・・・，１３Ａｎおよび複数の電話端末１３Ｂ１，１３Ｂ２，・・・，１３Ｂｍと、ルーター１４Ａおよび１４Ｂが接続されて構成されている。
【０００９】
ルーター１４Ａおよびルーター１４Ｂは、一つのＶｏＩＰ電話システムと、他のＶｏＩＰ電話システムとを、ＩＰネットワーク２を通じて接続するときに用いられる。
【００１０】
この例の場合、例えば、それぞれのＶｏＩＰ電話システム１Ａ，１Ｂに対しては、ＩＰネットワーク２内におけるシステム番号が付与されると共に、それぞれのＶｏＩＰ電話システム１Ａ，１Ｂ内の電話端末１３Ａ１〜１３ｎおよび１３Ｂ１〜１３Ｂｍに対しては、予め端末番号（例えば内線番号）が付与されており、主装置１２Ａ，１２Ｂは、他のＶｏＩＰ電話システムについての呼制御用のアドレスを前記システム番号に対応して記憶していると共に、それぞれのＶｏＩＰ電話システム１Ａ，１Ｂ内における電話端末の呼制御用のアドレスを、前記端末番号（内線番号）に対応して記憶している。
【００１１】
後述するように、呼制御のためのメッセージ、この例では、ＳＩＰ（Ｓｅｓｓｉｏｎ  Ｉｎｉｔｉａｔｉｏｎ  Ｐｒｏｔｏｃｏｌ）標準のメッセージが、主装置を介して、各ＶｏＩＰ電話システム１Ａ，１Ｂ内の電話端末間において、やり取りされることにより、各ＶｏＩＰ電話システム内の電話端末間において、音声通話路を形成することが可能となる。
【００１２】
ルーターを超えて、他のＶｏＩＰ電話システム内の電話端末との間で通信を行なう場合には、ルーターをそれぞれ介して、主装置間においても呼制御メッセージのやり取りが行なわれ、ルーターを介した音声通話路を形成することが可能になる。
【００１３】
図２５および図２６は、一つのＶｏＩＰ電話システム内の電話端末間での発信から通話までの処理を説明するための経路説明図およびシーケンス図である。この図２５および図２６の例は、ＶｏＩＰ電話システム１Ａにおける或る電話端末Ｘから、他の或る電話端末Ｙに対して発信した場合である。なお、図２５および図２６において、二重線の実線矢印は、音声データの伝送を示し、その他の一重線の実線矢印は、ＳＩＰ標準の呼制御メッセージの伝送を示している。
【００１４】
図２６のシーケンス図に示すように、発信端末である電話端末Ｘ（以下、発信端末Ｘという）が電話端末Ｙを着信端末（以下、着信端末Ｙという）として指定した発信（発信）を行なうと、その発信メッセージは、主装置１２Ａで受信される。この発信メッセージには、発信端末Ｘのメディア待ち受け用ＩＰアドレスとポート番号（メディア待ち受け用ＩＰアドレスとポート番号の情報は、メディア待ち受け用アドレス情報である）およびメディア種別（この場合には音声データであることを示す情報である。以下同様）の情報とが含まれている。これらのデータは、ＳＤＰ（Ｓｅｓｓｉｏｎ  Ｄｅｓｃｒｉｐｔｉｏｎ  Ｐｒｏｔｏｃｏｌ）に従ったものとされている。以下、同様である。
【００１５】
主装置１２Ａは、この発信メッセージを受信すると、着信端末Ｙに対して、この発信メッセージを転送する。着信端末Ｙは、使用中でなければ、発信要求受付メッセージを主装置１２Ａに返す。着信端末Ｙは、発信メッセージに含まれる情報により、発信端末Ｘのメディア待ち受け用ＩＰアドレスとポート番号およびメディア種別を認識する。そして、着信端末Ｙは、自分のメディア待ち受け用ＩＰアドレスとポート番号およびメディア種別の情報を含む応答メッセージを主装置１２Ａに返す。
【００１６】
主装置１２Ａは、この応答を受信すると、着信端末Ｙのメディア待ち受け用ＩＰアドレスとポート番号およびメディア種別の情報を含む応答メッセージを、発信端末Ｘに転送する。この応答メッセージを受信することにより、発信端末Ｘは、着信端末Ｙのメディア待ち受け用ＩＰアドレスとポート番号、メディア種別を認識する。
【００１７】
以上により、発信端末Ｘと、着信端末Ｙとは、それぞれ相手方のメディア待ち受け用ＩＰアドレスとポート番号を認識することになる。したがって、その後、発信端末Ｘと、着信端末Ｙとは、それら認識した相手方のメディア待ち受け用ＩＰアドレスとポート番号により、送信相手を特定した音声データパケットをＬＡＮ１１Ａを通じて直接的にやり取りすることにより、音声通話が可能となる。
【００１８】
また、異なるＶｏＩＰ電話システムに含まれる電話端末同士の通話は、ルーターを介することにより、ほぼ同様に行なわれる。図２７は、その場合の発信から通話までの処理を説明するための経路説明図である。この図２７の例は、ＶｏＩＰ電話システム１Ａの或る電話端末Ｘが発信端末であり、ＶｏＩＰ電話システム１Ｂの或る電話端末Ｚが着信端末である場合である。
【００１９】
なお、図２５、図２６と同様に、図２７においても、二重線の実線矢印は、音声データの伝送を示し、その他の一重線の実線矢印は、ＳＩＰ（ＳｅｓｓｉｏｎＩｎｉｔｉａｔｉｏｎ  Ｐｒｏｔｏｃｏｌ）標準のメッセージを示している。
【００２０】
この場合には、発信端末Ｘからの着信端末Ｚを指定した発信メッセージは、主装置１２Ａ−ルーター１４Ａ−ルーター１４Ｂ−主装置１２Ｂを介して着信端末Ｚに送られて、発信端末Ｘのメディア待ち受け用ＩＰアドレスとポート番号およびメディア種類の情報が、着信端末Ｚに認識される。
【００２１】
また、着信端末Ｚからの応答メッセージは、主装置１２Ｂ−ルーター１４Ｂ−ルーター１４Ａ−主装置１２Ａを介して発信端末Ｘに送られて、着信端末Ｚのメディア待ち受け用ＩＰアドレスとポート番号およびメディア種類の情報が、発信端末Ｘに認識される。
【００２２】
以上のようにして、発信端末Ｘと、着信端末Ｙあるいは着信端末Ｚとは、それぞれ相手方のメディア待ち受け用ＩＰアドレスとポート番号を認識し、それら認識した相手方のメディア待ち受け用ＩＰアドレスとポート番号により、送信相手を特定して、ルーター１４Ａおよび１４Ｂを通じて、音声データパケットをやり取りすることにより、音声通話が可能となる。
【００２３】
ところで、この種のＶｏＩＰ電話システムでは、話中の呼を一旦保留し、その後、当該呼を他の電話端末に転送するようにできる機能や、ビジネスボタン電話機能として良く用いられる一斉音声呼び出しを実現する機能などの付加機能を備えることが、使い勝手の点で重要である。
【００２４】
従来のボタン電話システムの場合には、主装置が制御メッセージを解析して、通話路を切り替え制御する構成であったので、話中の呼を保留し、他の電話端末に転送する機能は、主装置が集中的に管理することにより実現できた。しかしながら、ＶｏＩＰ電話システムの場合には、通話路は、主装置の管理下になく、図２５および図２７に示すように、パケットヘッダに宛先アドレス情報（送信アドレス情報）として含まれる、メディア待ち受け用ＩＰアドレスとポート番号により、電話端末間でパケットの送受がなされるようになっている。
【００２５】
したがって、電話端末自身に保留、転送の機能を設けて、当該電話端末で保留中のメディア待ち受け用ＩＰアドレスとポート番号や、転送先のメディア待ち受け用ＩＰアドレスとポート番号を通知することが可能にすれば、ＶｏＩＰ電話システムにおいても保留、転送機能を実現できる。この場合に、発信端末と着信端末の両方が保留、転送の機能を備える必要がある。
【００２６】
しかしながら、すべてのＶｏＩＰ用電話端末に保留、転送の機能を設けるのでは、ＶｏＩＰ用電話端末が高価格となり、好ましくない。また、通話の相手方の電話端末が、保留、転送の機能を持たない場合には、保留、転送が全くできなくなってしまうことになり、使い勝手が非常に悪くなるという問題がある。
【００２７】
また、ＶｏＩＰ電話システムにおいては、従来のボタン電話システムの主装置のように、制御メッセージを解析して通話路を切り替え制御する構成ではないため、ビジネスボタン電話機能として良く用いられる一斉音声呼び出しを実現する場合にも、ＶｏＩＰ電話端末自身にその機能を持たせるか、発信者が、一斉音声呼び出し対象のすべての電話端末に対して、順次に送るようにする必要がある。
【００２８】
この発明は、以上の点にかんがみ、ＶｏＩＰ電話端末に保留、転送の機能や一斉音声呼び出しの機能を設けなくとも、上述のような問題点を回避できるＶｏＩＰシステムを提供することを目的とする。
【００２９】
【課題を解決するための手段】
上記の課題を解決するために、請求項１の発明によるＶｏＩＰ電話システムは、
ＩＰネットワークからなるローカルエリアネットワークに接続される複数個のＶｏＩＰ電話端末と、
前記ローカルエリアネットワークに接続され、呼に関連する制御系メッセージを授受し、通信を制御するための主装置手段と、
前記ローカルエリアネットワークに接続され、前記ＶｏＩＰ電話端末と相手端末との間における音声データの伝送路を形成するための音声データ伝送路制御手段と、
からなるＶｏＩＰ電話システムであって、
前記主装置手段は、
前記音声データ伝送路制御手段に対して、発信側と着信側とにおける前記音声データの送受のためのアドレス情報を伝える手段と、
前記発信側と着信側とに対して、前記音声データ伝送路制御手段における前記音声データの授受のためのアドレス情報を伝える手段と、
を備え、
前記発信側および着信側が、前記音声データの伝送の相手先のアドレス情報として、前記音声データ伝送路制御手段における前記音声データの授受のためのアドレス情報を用いることにより、前記音声データは、前記音声データ伝送路制御手段を介して前記発信側と前記着信側との間で伝送されるようにした
ことを特徴とする。
【００３０】
また、請求項５の発明によるＶｏＩＰ電話システムは、
ＩＰネットワークからなるローカルエリアネットワークに接続される複数個のＶｏＩＰ電話端末と、
前記ローカルエリアネットワークに接続され、前記ＶｏＩＰ電話端末と相手端末との間における通信を制御するための主装置と、
からなるＶｏＩＰ電話システムであって、
前記主装置は、
呼に関連する制御系メッセージの授受を行なう呼制御手段と、
前記ＶｏＩＰ電話端末と、前記相手端末との間における音声データの伝送路を形成するための音声データ伝送路制御手段と、
前記音声データ伝送路制御手段に対して、発信側と着信側とにおける前記音声データの送受のためのアドレス情報を伝える手段と、
前記発信側および着信側に対して、前記音声データ伝送路制御手段における前記音声データの授受のためのアドレス情報を伝える手段と、
を備え、
前記発信側および着信側が、前記音声データの伝送の相手先のアドレス情報として、前記音声データ伝送路制御手段における前記音声データの授受のためのアドレス情報を用いることにより、前記音声データは、前記音声データ伝送路制御手段を介して前記発信側と前記着信側との間で伝送されるようにした
ことを特徴とする。
【００３１】
【作用】
上述の構成の請求項１の発明によれば、音声データ伝送路制御手段が、主装置手段とは別個に設けられる。そして、この請求項１の発明においては、主装置手段から、当該音声データ伝送路制御手段には、発信側と着信側とにおける前記音声データの送受のためのアドレス情報が通知されると共に、発信側と着信側とに対して、音声データ伝送路制御手段における音声データの授受のためのアドレス情報が伝えられる。
【００３２】
そして、発信側と着信側とは、音声データの伝送の相手先のアドレス情報として、音声データ伝送路制御手段における音声データの授受のためのアドレス情報を用いることにより、音声データ伝送路制御手段を介して音声データの授受を行なう。つまり、音声データは、発信側と着信側とを直接的に相手先として指示して伝送されるのではなく、音声データ伝送路制御手段を介して伝送される。
【００３３】
したがって、この音声データ伝送路制御手段に対して、主装置を通じて保留指示を送り、転送先についてのアドレス情報を伝えることで、保留転送機能が実現できるようになる。
【００３４】
また、請求項５の発明の場合には、主装置内に音声データ伝送路制御手段を設ける。この場合にも、上述の請求項１の場合と同様の作用効果が得られる。
【００３５】
【発明の実施の形態】
以下、この発明によるＶｏＩＰシステムの実施の形態を、図を参照しながら説明する。
【００３６】
図１は、この発明によるＶｏＩＰ電話システムの実施形態を用いた通信網の概要を説明するための図である。この図１の実施形態は、前述した図２４の構成にこの発明を適用した場合である。図１に示すように、この実施形態においては、ハードウエア的には、ＶｏＩＰ電話システム１Ａ，１Ｂは、図２４の構成に加えて、ＬＡＮ１１Ａ，１１Ｂに対して音声データ伝送路制御手段としてのメディアスイッチ１５Ａ、１５Ｂが接続されて構成される。
【００３７】
この実施形態においては、主装置１２Ａ，１２Ｂとメディアスイッチ１５Ａ，１５Ｂとの間では、制御メッセージは、ユニキャストパケットによるローカルなメッセージとしてやり取りを行なう。これにより、主装置１２Ａ，１２Ｂは、メディアスイッチ１５Ａ，１５Ｂに対して、発信側と着信側とにおける前記音声データの送受のためのアドレス情報としてのメディア待ち受け用アドレス情報（ＩＰアドレスおよびポート番号）を伝え、また、主装置１２Ａ，１２Ｂは、メディアスイッチ１５Ａ，１５Ｂから、当該メディアスイッチ１５Ａ，１５Ｂのそれぞれにおける音声データの伝送のためのアドレス情報としてのメディア待ち受け用アドレス情報（ＩＰアドレスおよびポート番号）を受け取る。
【００３８】
そして、主装置１２Ａ，１２Ｂは、発信側の電話端末と着信側の電話端末とに対して、取得したメディアスイッチ１５Ａ，１５Ｂにおける音声データの伝送のためのアドレス情報を伝える。主装置１２Ａ，１２Ｂと、電話端末との間の制御メッセージのやり取りは、この例では、前述と同様に、ＳＩＰ標準のメッセージとして行なわれる。
【００３９】
［ＶｏＩＰ用電話端末のハードウエア構成例］
この実施の形態のＶｏＩＰ電話システムにおけるＶｏＩＰ用電話端末１３Ａ１〜１３Ａｎおよび１３Ｂ１〜１３Ｂｍは、全く同一のハードウエア構成を備える。図２に、ＶｏＩＰ用電話端末１３Ａ１のハードウエア構成例を、その代表として示す。この実施の形態のＶｏＩＰ用電話端末は、図２に示すように、端末本体１００と、ハンドセットＨＳとからなる。ハンドセットＨＳは、図示を省略したが、送話器を構成するマイクロホンと、送話アンプと、受話器を構成するスピーカと、受話アンプとを備えている。
【００４０】
端末本体１００は、コンピュータにより構成されており、ＣＰＵ（Ｃｅｎｔｒａｌ  Ｐｒｏｃｅｓｓｉｎｇ  Ｕｎｉｔ）１１０に対して、システムバス１１１を介して、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、ディスプレイコントローラ１１４と、操作入力インターフェイス（図ではインターフェイスはＩ／Ｆと記載する。以下同じ）１１６と、ＬＡＮインターフェイス１１８と、パケット分解／生成部１１９と、音声データ入出力インターフェイス１２０とが接続されている。
【００４１】
ディスプレイコントローラ１１４には、ディスプレイ１１５が接続されており、このディスプレイ１１５の表示画面には、ＣＰＵ１１０の制御にしたがった表示が行われる。
【００４２】
また、操作入力インターフェイス１１６には、テンキー、カーソルキーやその他の操作キーを含む操作入力部１１７が接続されている。ＣＰＵ１１０は、操作入力インターフェイス１１６を介して操作入力部１１７を通じて使用者がいずれの入力キーを操作したかを認識し、その認識結果に基づいて、キー入力操作に応じた処理をＲＯＭ１１２のプログラムに従って実行する。
【００４３】
ＲＯＭ１１２には、ＶｏＩＰ用電話端末としての発信時や着信時の処理シーケンスを実行するプログラム、保留、転送の要求入力を受け付け、保留、転送時の処理を実行するためのプログラムなどが記憶されている。
【００４４】
ＲＡＭ１１３は、主としてＲＯＭ１１２のプログラムがＣＰＵ１１０によって実行される際にワークエリアとして使用される。
【００４５】
ＬＡＮインターフェイス１１８は、ＩＰネットワークを構成するＬＡＮ１１Ａを通じて送られてくるパケット化データを取り込み、また、ＬＡＮ１１Ａにパケット化データを送出するための機能を備える。
【００４６】
パケット分解／生成部１１９は、ＬＡＮインターフェイス１１８により取り込んだパケット化データを分解して、制御データや音声データを得る機能と、送信する制御データや音声データをパケット化して送出するパケット化データを生成する機能を有する。このパケット分解／生成部１１９は、パケット化データを分解したり、生成したりするためのバッファメモリを備える。
【００４７】
なお、このパケット分解／生成部１１９のパケット分解処理機能や生成処理機能は、ＣＰＵ１１０と、ＲＯＭ１１２とにより、ソフトウエアとして実現することもできる。
【００４８】
音声データ入出力インターフェイス１２０は、パケット分解されて得られた音声データをアナログ音声信号に変換してハンドセットＨＳに供給し、また、ハンドセットＨＳから入力されるアナログ音声信号をデジタル信号に変換して取り込む機能を備える。
【００４９】
［主装置のハードウエア構成例］
次に、この実施形態のシステムにおける主装置１２Ａ，１２Ｂのハードウエア構成例を説明する。主装置１２Ａと１２Ｂとは全く同一の構成であるので、図３に、主装置１２Ａの構成を代表として示す。
【００５０】
この実施形態の主装置は、例えばパーソナルコンピュータにより構成されるもので、図３に示すように、ＣＰＵ２１０に対して、システムバス２１１を介してＲＯＭ２１２と、ＲＡＭ２１３と、ＬＡＮインターフェイス２１４と、パケット処理部２１５と、プロトコル処理部２１６と、サービス処理部２１７と、メディア制御部２１８と、管理メモリ部２１９とが接続されている。
【００５１】
ＲＯＭ２１２には、呼に関連する制御のための処理シーケンスを実行するためのプログラムなどの主装置が実行する処理プログラムが記憶されている。ＲＡＭ２１３は、主としてＲＯＭ２１２のプログラムがＣＰＵ２１０によって実行される際にワークエリアとして使用される。
【００５２】
また、ＬＡＮインターフェイス２１４は、ＬＡＮ１１Ａを通じて送られてくるパケット化データを取り込み、また、ＬＡＮ１１Ａにパケット化データを送出するための機能を備える。
【００５３】
パケット処理部２１５は、ＬＡＮインターフェイス２１４により取り込んだパケット中の制御のためのメッセージデータを解読するために、受信したパケットを分解し、また、送信する制御のためのデータをパケット化する機能を有する。パケット処理部２１５は、パケット化データを分解／生成したり、パケットの送受信処理したりするために一時保存するためのバッファメモリを備える。
【００５４】
プロトコル処理部２１６は、授受するパケットのプロトコルを管理する。サービス処理部２１７は、保留、転送、一斉音声呼び出しなどのサービス処理をするために用いられる。メディア制御部２１８は、音声通話路の制御のための処理を行なう。プロトコル処理部２１６、サービス処理部２１７およびメディア処理部２１８は、ＲＯＭ２１２に記憶されるプログラムとしてソフトウエア的に構成される場合もある。
【００５５】
管理メモリ部２１９には、自システムに割り当てられたシステム番号や、他のＶｏＩＰ電話システムに割り当てられたシステム番号とＩＰアドレスとの対応関係、それぞれのＶｏＩＰ電話システム１Ａ，１Ｂ内におけるＶｏＩＰ用電話端末の呼制御用のアドレスを、前記端末番号（内線番号）に対応して記憶している。
【００５６】
［メディアスイッチのハードウエア構成例］
次に、この実施形態のシステムにおけるメディアスイッチ１５Ａ，１５Ｂのハードウエア構成例を説明する。メディアスイッチ１５Ａと１５Ｂとは全く同一の構成であるので、図４に、メディアスイッチ１５Ａの構成を代表として示す。
【００５７】
この実施形態のメディアスイッチは、例えばパーソナルコンピュータにより構成されるもので、図４に示すように、ＣＰＵ３１０に対して、システムバス３１１を介してＲＯＭ３１２と、ＲＡＭ３１３と、ＬＡＮインターフェイス３１４と、パケット処理部３１５と、音声データパケットアドレス変換部３１６と、保留音発生部３１７とが接続されている。
【００５８】
ＲＯＭ３１２には、音声通話路生成、保留、転送の制御のための処理シーケンスを実行するためのプログラムなどのメディアスイッチ１５Ａが実行する処理プログラムが記憶されている。ＲＡＭ３１３は、主としてＲＯＭ３１２のプログラムがＣＰＵ３１０によって実行される際にワークエリアとして使用される。
【００５９】
また、ＬＡＮインターフェイス３１４は、ＬＡＮ１１Ａを通じて送られてくるパケット化データを取り込み、また、ＬＡＮ１１Ａにパケット化データを送出するための機能を備える。
【００６０】
パケット処理部３１５は、ＬＡＮインターフェイス３１４により取り込んだパケット中の制御のためのメッセージデータを解読するために、受信したパケットを分解し、また、送信する制御のためのデータをパケット化する機能を有する。パケット処理部３１５は、パケット化データを分解／生成したり、パケットの送受信処理したりするために一時保存するためのバッファメモリを備える。
【００６１】
音声データパケットアドレス変換部３１６は、発信端末や着信端末のメディア待ち受け用ＩＰアドレスおよびポート番号や、その際に用いる自身のメディア待ち受け用ＩＰアドレスおよびポート番号を記憶保持して、それらのアドレス情報を用いて、パケットの相手先アドレスを変換する処理を行なう。すなわち、音声データパケットは、メディアスイッチ宛てに送られてくるので、メディアスイッチは、その受信したパケットの宛先アドレスを、最終的に到達すべき電話端末のメディア待ち受け用アドレスおよびポート番号に変換して、ＬＡＮ１１Ａに送り出すようにする。
【００６２】
保留音発生部３１７は、通話中の呼を保留したときに、保留中であることを示す保留音をメディアスイッチから供給するようにするために設けられている。
【００６３】
［実施形態のＶｏＩＰ電話システムにおける通話、保留、転送時の処理］
次に、以上のように構成されたＶｏＩＰ電話システムにおける通話、保留、転送時の処理を以下に説明する。先ず、一つのＶｏＩＰ電話システム内における通話、保留、転送の処理動作を説明し、後で、ルーターを用いた他のＶｏＩＰ電話システムの端末との間における通話、保留、転送時の処理について説明する。
【００６４】
［１］一つのＶｏＩＰ電話システム内における通話、保留、転送の処理動作
一つのＶｏＩＰ電話システム内における通話、保留、転送の処理シーケンス図を、図５〜図８に示す。また、その際の主装置１２Ａあるいは１２Ｂでの処理のフローチャートを図９〜図１２に示す。また、その際のメディアスイッチ１５Ａあるいは１５Ｂでの処理のフローチャートを図１３〜図１５に示す。
【００６５】
図９〜図１２のフローチャートの各処理ステップの動作は、主装置のＣＰＵ２１０がＲＯＭ２１２のプログラムに従って実行するものであり、また、図１３〜図１５のフローチャートの各処理ステップの動作は、メディアスイッチのＣＰＵ３１０がＲＯＭ３１２のプログラムに従って実行するものである。
【００６６】
以下に説明する例は、ＶｏＩＰ電話システム１Ａの電話端末Ｘが、当該ＶｏＩＰ電話システム１Ａ内の他の電話端末Ｙに対して発信を行なって、両者の間で通話を行ない、その後、発信端末Ｘが保留要求を行なって当該通話中の呼を保留し、発信端末Ｘが、ＶｏＩＰ電話システム１Ａのさらに他の電話端末Ｗに発信を行なって通話を行ない、保留した呼を電話端末Ｗに転送して、電話端末Ｙと、電話端末Ｗとの間で通話を行なうようにした場合である。
【００６７】
なお、この図５〜図８においても、二重線の実線矢印は、音声データの伝送を示し、その他の一重線の実線矢印は、ＳＩＰ標準の呼制御メッセージの伝送を示している。また、点線の矢印は、ユニキャストパケットによるローカルなメッセージの伝送を示している。
【００６８】
図５〜図８から判るように、主装置１２Ａとメディアスイッチ１５Ａとの間では、ユニキャストパケットによるローカルなメッセージとして制御のためのデータがやり取りされ、主装置１２Ａと電話端末Ｘ，Ｙ，Ｚとの間では、ＳＩＰ標準のメッセージにより、制御のためのデータがやり取りされるものである。
【００６９】
［メディアスイッチを用いた通話］
図５のシーケンス図、図９のフローチャート（主装置１２Ａの動作）および図１３のフローチャート（メディアスイッチ１５Ａの動作）を参照して、この実施形態のＶｏＩＰ電話システム１Ａにおける通話路形成までの処理について説明する。
【００７０】
この場合、先ず、図５に示すように、発信端末Ｘからの着信端末Ｙへの発信メッセージは、主装置１２Ａに送られる。主装置１２Ａは、この発信メッセージを受け取ったことを判別すると（図９のステップＳ１０１）、発信メッセージに含まれる着番号を解析して、着信先を決定し（この場合には、電話端末Ｙを着信端末として決定する）、発信端末Ｘに発信要求受付メッセージを返す（ステップＳ１０２）。
【００７１】
また、発信メッセージを受け取った主装置１２Ａは、メディア情報設定取得要求をメディアスイッチ１５Ａに送る（ステップＳ１０３）。このメディア情報設定取得要求は、前述したように、ユニキャストパケットによるローカルなメッセージであり、これには、発信端末Ｘのメディア待ち受け用ＩＰアドレスとポート番号およびメディア種別の情報が含まれる。
【００７２】
メディアスイッチ１５Ａは、このメディア情報設定取得要求を受信したことを判別したときには（図１３のステップＳ２０１）、前記発信端末Ｘのメディア待ち受け用ＩＰアドレスとポート番号およびメディア種別の情報を取得し、記憶する（ステップＳ２０２）。
【００７３】
メディア種別の情報は、この例では、音声データであることを示す情報となるので、メディアスイッチ１５Ａは、このメディア情報設定取得要求を受信することにより、発信端末Ｘの音声データの待ち受け用ＩＰアドレスとポート番号を知る。
【００７４】
次に、メディアスイッチ１５Ａは、メディア取得情報を主装置１２Ａに返す（ステップＳ２０３）。このメディア取得情報には、発信端末Ｘ用の当該メディアスイッチ１５Ａにおけるメディア待ち受け用ＩＰアドレスとポート番号と、相手端末（ここでは着信端末Ｙ）用の当該メディアスイッチ１５Ａにおけるメディア待ち受け用ＩＰアドレスとポート番号とを含む。
【００７５】
主装置１２Ａは、このメディアスイッチ１５Ａからのメディア取得情報を受信する（ステップＳ１０４）。次に、主装置１２Ａは、着信端末Ｙへ発信メッセージを送る（ステップＳ１０５）。このときの着信端末Ｙへの発信メッセージには、メディアスイッチ１５Ａから受信した着信端末Ｙ用の当該メディアスイッチ１５Ａにおけるメディア待ち受け用ＩＰアドレスとポート番号およびメディア種別の情報が含まれる。
【００７６】
したがって、着信端末Ｙは、この発信メッセージから、発信端末Ｘに対する音声データの宛先アドレスとして、自端末Ｙ用の当該メディアスイッチ１５Ａにおけるメディア待ち受け用ＩＰアドレスとポート番号を認識することができる。そして、着信端末Ｙは、発信要求を受け付けることができる状態であれば、発信要求受付メッセージを主装置１２Ａに返す。
【００７７】
主装置１２Ａは、着信端末Ｙからの発信要求受付を受信したかどうか判別し（ステップＳ１０６）、発信要求受付を受信しなかった場合には、発信要求受付失敗のシーケンスに移行する。ここでは、発信要求受付失敗のシーケンスについては記述を省略する。
【００７８】
ステップＳ１０６で、着信端末Ｙからの発信要求受付を受信したと判別したときには、着信端末Ｙからは、当該着信端末Ｙのメディア待ち受け用ＩＰアドレスとポート番号およびメディア種別の情報を含む応答メッセージが送られてくるので、主装置１２Ａは、それを受信する（ステップＳ１０７）。
【００７９】
そして、主装置１２Ａは、受信した着信端末Ｙのメディア待ち受け用ＩＰアドレスとポート番号およびメディア種別を含むメディア情報設定を、メディアスイッチ１５Ａに送る（ステップＳ１０８）。
【００８０】
メディアスイッチ１５Ａでは、主装置１２Ａからのメディア情報設定を受信したかどうかを監視し（図１３のステップＳ２０４）、メディア情報設定を予め定めた所定時間受信しないと判別したときには（ステップＳ２０５）、発信要求が失敗に終わったと認識して、それまでの呼設定に関する情報をリセットし（ステップＳ２０６）、ステップＳ２０１に戻る。
【００８１】
また、メディアスイッチ１５Ａは、ステップＳ２０４で、メディア情報設定を受信したと判別したときには、相手端末としての前記着信端末Ｙのメディア待ち受け用ＩＰアドレスとポート番号およびメディア種別の情報を取得し、記憶する（ステップＳ２０７）。
【００８２】
メディア種別の情報は、この例では、音声データであることを示す情報であるので、メディアスイッチ１５Ａは、このメディア情報設定を受信することにより、着信端末Ｙの音声データの待ち受け用ＩＰアドレスとポート番号を知る。
【００８３】
前記メディア情報設定をメディアスイッチ１５Ａに送信した主装置１２Ａは、また、発信端末Ｘ用のメディアスイッチ１５Ａの待ち受け用ＩＰアドレスとポート番号およびメディア種別の情報を含む応答メッセージを発信端末Ｘに転送する（図９のステップＳ１０９）。
【００８４】
以上のようにして、主装置１２Ａからは、メディアスイッチ１５Ａには、発信端末Ｘおよび着信端末Ｙのメディア待ち受け用ＩＰアドレスおよびポート番号が通知されると共に、発信端末Ｘおよび着信端末Ｙには、それぞれの端末用のメディアスイッチ１５Ａにおけるメディア待ち受け用ＩＰアドレスおよびポート番号が通知される。
【００８５】
発信端末Ｘおよび着信端末Ｙは、通話用の音声データパケットを、それぞれの端末用のメディアスイッチにおけるメディア待ち受け用ＩＰアドレスおよびポート番号を宛先として送信する。このことにより、両端末Ｘ，Ｙ間で音声通話がなされる（ステップＳ１１０）。
【００８６】
このとき、メディアスイッチ１５Ａは、発信端末Ｘから受け取った音声データパケットの送信先アドレスは、音声データパケットアドレス変換部３１６において、着信端末Ｙのメディア待ち受け用ＩＰアドレスおよびポート番号に変換して、ＬＡＮ１１Ａに送出し、着信端末Ｙに向けて送信する（ステップＳ２０８）。
【００８７】
メディアスイッチ１５Ａは、また、着信端末Ｙから受け取った音声データパケットの送信先アドレスは、音声データパケットアドレス変換部３１６において、発信端末Ｘのメディア待ち受け用ＩＰアドレスおよびポート番号に変換して、ＬＡＮ１１Ａに送出し、発信端末Ｘに向けて送信する（ステップＳ２０８）。
【００８８】
以上のようにして、この実施形態では、音声データは、発信端末Ｘと着信端末Ｙとで、直接にやり取りするのではなく、メディアスイッチ１５Ａを介してやり取りする。この場合の発信から接続までの流れを説明したものを図１６に示す。この図１６においても、一重線の実線矢印は、ＳＩＰ標準の呼制御のためのメッセージであり、点線で示したものは、ユニキャストパケットによるローカルなメッセージである。そして、音声データは、二重線の実線矢印で、その伝送路を示した。
【００８９】
このようにメディアスイッチを設けたことにより、この実施形態では、ＶｏＩＰ用電話端末に保留、転送の機能を設けなくても、保留、転送の処理が可能になる。以下、その処理動作について説明する。
【００９０】
［呼の保留および転送処理］
図６は、呼の保留処理の説明のためのシーケンス図、図７および図８は、保留に続く呼の転送処理の説明のためのシーケンス図である。また、図１０〜図１２は、主装置１２Ａあるいは１２Ｂにおける呼の保留、転送の処理動作を示すフローチャートである。さらに、図１３の一部および図１４〜図１５は、メディアスイッチ１５Ａあるいは１５Ｂにおける呼の保留、転送の処理動作を示すフローチャートである。
【００９１】
なお、図６〜図８のシーケンス図では、発信端末Ｘが保留要求を出し、その後、発信端末Ｘが、転送先として、ＶｏＩＰ電話システム１Ａ内の他の電話端末Ｗを呼び出し、さらに、着信端末Ｙと転送先端末Ｗとの間で通話を行なわせるように転送要求した場合である。そこで、以下の説明においては、主装置の処理は、主装置１２Ａが行ない、また、メディアスイッチの処理は、メディアスイッチ１５Ａが行なうものである。
【００９２】
主装置１２Ａは、上述したような通話状態において、発信端末Ｘあるいは着信端末Ｙのいずれかから終話要求があったかどうか判別し（図１０のステップＳ１２１）、終話要求があったときには、終話処理を行ない（ステップＳ１２２）、この処理ルーチンを終了する。
【００９３】
前記終話処理には、主装置１２Ａからメディアスイッチ１５Ａに対して終話による接続解除要求を送る処理が含まれる。メディアスイッチ１５Ａは、この接続解除要求を受信したと判別したときには（図１３のステップＳ２０９）、メディアスイッチ１５Ａ内に記憶した音声データパケットアドレス変換のためのデータをリセットして（ステップＳ２１０）、処理ルーチンを終了する。
【００９４】
一方、図６に示すように、発信端末Ｘが保留要求を主装置１２Ａに対して送出すると、主装置１２Ａは、その保留要求の受信を検知し（図１０のステップＳ１２３）、着信端末Ｙに対して、当該保留要求を転送する（ステップＳ１２４）。ただし、図６に示すように、発信端末Ｘからの保留要求には、発信端末Ｘが音声データ送信のみをサポートすることを意味する情報が含まれるが、主装置１２Ａから着信端末Ｙに送られる保留要求には、メディアスイッチ１５Ａが音声データ送信のみをサポートすることを意味する情報が含まれる。
【００９５】
着信端末Ｙは、自端末に保留機能がある場合には、その旨を主装置１２Ａに返し、自端末に保留機能がない場合には、保留エラーを返す。
【００９６】
主装置１２Ａは、着信端末Ｙから保留機能がある旨のメッセージが返ってきたときには、当該着信端末Ｙの保留機能を用いて保留動作を行なうようにさせる（図１０のステップＳ１２６）。また、主装置１２Ａは、着信端末Ｙから保留機能がないため、保留エラーのメッセージが返ってきたときには、メディアスイッチ１５Ａを用いた保留機能を起動させるようにし、メディアスイッチ１５Ａに、保留のメディア接続変更要求を送る（図１０のステップＳ１２７）。
【００９７】
メディアスイッチ１５Ａは、この保留のメディア接続変更要求を受け取ると（図１４のステップＳ２１１）、保留要求してきた端末の相手方端末、すなわち、被保留端末と、メディアスイッチ１５Ａとの音声データの経路を保持するようにする。この例の場合には、発信端末Ｘが保留要求したので、被保留端末は、着信端末Ｙであり、メディアスイッチ１５Ａは、着信端末Ｙに対する音声データ送信の経路を保持するようにする（ステップＳ２１２）。
【００９８】
そして、メディアスイッチ１５Ａは、接続変更ができたか否か判別し（ステップＳ２１３）、接続変更できなかったときには、主装置１２Ａに接続変更結果ＮＧを通知し（ステップＳ２１４）、ステップＳ２０９に戻る。ステップＳ２１３で接続変更できたと判別したときには、メディアスイッチ１５Ａは、接続変更結果ＯＫを主装置１２Ａに送出し（ステップＳ２１５）、保留音発生部３１７から保留音を送出させ、着信端末Ｙに送る（ステップＳ２１６）。この保留音は、音声通話路を通じて送られる。
【００９９】
一方、メディアスイッチ１５Ａからメディア接続変更結果を受け取った主装置１２Ａは、接続変更結果がＯＫであるかＮＧであるかを判別する（図１０のステップＳ１２８）。接続変更結果がＮＧであったときには、主装置１２Ａは、保留要求をしてきた電話端末に保留できなかったことを通知し（ステップＳ１２９）、ステップＳ１２１に戻る。
【０１００】
また、ステップＳ１２８で、接続変更結果がＯＫであったと判別したときには、主装置１２Ａは、保留要求をしてきた電話端末に保留ＯＫを通知し（ステップＳ１３０）、保留状態になる（ステップＳ１３１）。
【０１０１】
この保留状態における主装置１２Ａ、メディアスイッチ１５Ａ、端末Ｘおよび端末Ｙの通信路を説明するための図を図１７に示す。
【０１０２】
次に、主装置１２Ａは、保留を要求してきた端末が保留解除要求をしてきたか否かを判別し（図１１のステップＳ１４１）、保留解除要求をしてきたと判別したときには、接続変更要求として保留解除要求をメディアスイッチ１５Ａに送出する（ステップＳ１４２）。そして、図１０のステップＳ１２１に戻る。
【０１０３】
メディアスイッチ１５Ａでは、主装置１２Ａからの保留解除要求を受信したか否か判別し（図１４のステップＳ２１７）、保留解除要求してきたと判別したときには、メディアスイッチ１５Ａは、被保留端末（この例では着信端末Ｙ）の経路と、保留要求した端末（この例では発信端末Ｘ）との音声データ経路を再度生成する（ステップＳ２１８）。そして、ステップＳ２０９に戻る。
【０１０４】
次に、図７のシーケンス図に示すように、保留中に、例えば、発信端末Ｘが電話端末Ｗを転送先端末（以下、転送先端末Ｗという）として発信要求をしたときには、以下のようになる。すなわち、この発信要求メッセージは、発信端末Ｘから主装置１２Ａ宛てに送出される。そして、この発信要求メッセージには、発信端末Ｘのメディア待ち受け用ＩＰアドレスとポート番号およびメディア種別が含まれる。
【０１０５】
主装置１２Ａは、この発信要求メッセージを受信したことを判別すると（図１１のステップＳ１４３）、発信要求してきた端末に発信要求受付を返す（ステップＳ１４４）。そして、主装置１２Ａは、前述と同様にして、メディア情報設定取得要求をメディアスイッチ１５Ａに送る（ステップＳ１４５）。このメディア情報設定取得要求には、発信端末Ｘのメディア待ち受け用ＩＰアドレスとポート番号およびメディア種別の情報が含まれる。
【０１０６】
メディアスイッチ１５Ａは、このメディア情報設定取得要求を受信したことを判別したときには（図１４のステップＳ２１９）、前記発信端末Ｘのメディア待ち受け用ＩＰアドレスとポート番号およびメディア種別の情報を取得し、記憶する（ステップＳ２２０）。
【０１０７】
次に、メディアスイッチ１５Ａは、メディア取得情報を主装置１２Ａに返す（ステップＳ２２１）。このメディア取得情報には、発信端末Ｘ用の当該メディアスイッチ１５Ａにおけるメディア待ち受け用ＩＰアドレスおよびポート番号と、相手端末（図７の例では転送先端末Ｗ）用の当該メディアスイッチ１５Ａにおけるメディア待ち受け用ＩＰアドレスとポート番号とを含む。
【０１０８】
主装置１２Ａは、このメディアスイッチ１５Ａからのメディア取得情報を受信する（ステップＳ１４６）。次に、主装置１２Ａは、相手端末としての転送先端末Ｗへ発信メッセージを送る（ステップＳ１４７）。このときの相手端末としての転送先端末Ｗ）への発信メッセージには、メディアスイッチ１５Ａから受信した転送先端末Ｗ用の当該メディアスイッチ１５Ａにおけるメディア待ち受け用ＩＰアドレスとポート番号およびメディア種別の情報が含まれる。
【０１０９】
したがって、転送先端末Ｗは、この発信メッセージから、発信端末Ｘに対する音声データの宛先アドレスとして、当該メディアスイッチ１５Ａにおけるメディア待ち受け用ＩＰアドレスとポート番号を認識することができる。そして、転送先端末Ｗは、発信要求を受け付けることができる状態であれば、発信要求受付メッセージを主装置１２Ａに返す。
【０１１０】
主装置１２Ａは、転送先端末Ｗからの発信要求受付を受信したかどうか判別し（ステップＳ１４８）、発信要求受付を受信しなかった場合には、発信要求受付失敗のシーケンスに移行する。ここでは、発信要求受付失敗のシーケンスについては記述を省略する。
【０１１１】
ステップＳ１４８で、転送先端末Ｗからの発信要求受付を受信したと判別したときには、転送先端末Ｗからは、当該相手端末（図７の例では転送先端末Ｗ）のメディア待ち受け用ＩＰアドレスとポート番号およびメディア種別の情報を含む応答メッセージが送られてくるので、主装置１２Ａは、それを受信する（ステップＳ１４９）。
【０１１２】
そして、主装置１２Ａは、受信した転送先端末Ｗのメディア待ち受け用ＩＰアドレスとポート番号およびメディア種別を含むメディア情報設定を、メディアスイッチ１５Ａに送る（図１２のステップＳ１５１）。
【０１１３】
メディアスイッチ１５Ａでは、主装置１２Ａからのメディア情報設定を受信したかどうかを監視し（図１５のステップＳ２３１）、メディア情報設定を予め定めた所定時間受信しないと判別したときには（ステップＳ２３２）、発信要求が失敗に終わったと認識して、それまでの呼設定に関する情報をリセットし（ステップＳ２３３）、ステップＳ２１７に戻る。
【０１１４】
また、メディアスイッチ１５Ａは、ステップＳ２３１で、メディア情報設定を受信したと判別したときには、転送先端末Ｗのメディア待ち受け用ＩＰアドレスとポート番号およびメディア種別の情報を取得し、記憶する（ステップＳ２３４）。
【０１１５】
メディア種別の情報は、この例では、音声データであることを示す情報であるので、メディアスイッチ１５Ａは、このメディア情報設定を受信することにより、転送先端末Ｗの音声データの待ち受け用ＩＰアドレスとポート番号を知る。
【０１１６】
前記メディア情報設定をメディアスイッチ１５Ａに送信した主装置１２Ａは、また、発信端末Ｘ用のメディアスイッチ１５Ａの待ち受け用ＩＰアドレスとポート番号およびメディア種別を含む応答メッセージを、この例の場合の保留要求端末である発信端末Ｘに転送する（ステップＳ１５２）。
【０１１７】
以上のようにして、主装置１２Ａからは、メディアスイッチ１５Ａには、発信端末Ｘおよび転送先端末Ｗのメディア待ち受け用ＩＰアドレスおよびポート番号が通知されると共に、発信端末Ｘおよび転送先端末Ｗには、それぞれの端末用のメディアスイッチにおけるメディア待ち受け用ＩＰアドレスおよびポート番号が通知される。
【０１１８】
そして、発信端末Ｘおよび転送先端末Ｗは、通話用の音声データパケットは、それぞれの端末用のメディアスイッチ１５Ａにおけるメディア待ち受け用ＩＰアドレスおよびポート番号を宛先として送信することで両端末間で音声通話がなされる（ステップＳ１５３）。
【０１１９】
このとき、メディアスイッチ１５Ａは、発信端末Ｘから受け取った音声データパケットの送信先アドレスは、音声データパケットアドレス変換部３１６において、転送先端末Ｗのメディア待ち受け用ＩＰアドレスおよびポート番号に変換して、ＬＡＮ１１Ａに送出し、転送先端末Ｗに向けて送信する（ステップＳ２３５）。
【０１２０】
メディアスイッチ１５Ａは、また、転送先端末Ｗから受け取った音声データパケットの送信先アドレスは、音声データパケットアドレス変換部３１６において、発信端末Ｘのメディア待ち受け用ＩＰアドレスおよびポート番号に変換してＬＡＮ１１Ａに送出し、発信端末Ｘに向けて送信する（ステップＳ２３５）。
【０１２１】
なお、図７および図８に示すように、発信端末Ｘが転送先端末Ｗに対して発信を行なって両端末間の通話路が形成されて通話がなされる間も、メディアスイッチ１５Ａから被保留端末Ｙへは、保留音が供給されている。このときの、通話路および呼制御メッセージの経路の状態を、図１８に示す。この図１８においても、二重線の矢印は、音声通路を示し、実線矢印は、制御系メッセージの伝送路を示している。
【０１２２】
この状態において、図８に示すように、発信端末Ｘから転送要求が主装置１２Ａに対して送られ、主装置１２Ａが、この転送要求を受信したことを判別すると（図１２のステップＳ１５４）、主装置１２Ａは、メディアスイッチ１５Ａに対して、転送のメディア接続変更要求を送る（ステップＳ１５５）。
【０１２３】
メディアスイッチ１５Ａは、この転送のメディア接続変更要求を受け取ると（図１５のステップＳ２３６）、転送先端末Ｗと、被保留端末Ｙとの間の音声データの経路を生成するようにする（ステップＳ２３７）。この例の場合には、発信端末Ｘの転送要求に基づいて、メディアスイッチ１５Ａは、被保留端末であった着信端末Ｙと転送先端末Ｗとの間に音声データ送信の経路を形成するようにする。
【０１２４】
そして、メディアスイッチ１５Ａは、接続変更ができたか否か判別し（ステップＳ２３８）、接続変更できなかったときには、主装置１２Ａに接続変更結果ＮＧを通知し（ステップＳ２３９）、ステップＳ２１７に戻る。ステップＳ２３８で接続変更できたと判別したときには、メディアスイッチ１５Ａは、接続変更結果ＯＫを主装置１２Ａに送出し（ステップＳ２４０）、保留音発生部３１７からの保留音の送出を停止させる（ステップＳ２４１）。
【０１２５】
主装置１２Ａは、メディアスイッチ１５Ａからの接続変更結果を監視し（図１２のステップＳ１５６）、接続変更結果がＮＧであると判別したときには、転送要求端末、この例では、発信端末Ｘに対して転送ＮＧを通知し（ステップＳ１５７）、ステップＳ１５４に戻る。
【０１２６】
また、接続変更結果がＯＫであると判別したときには、メディアスイッチ１５Ａを介して、被保留端末Ｙと転送先端末Ｗとの間で通話が行なわれる状態となる（ステップＳ１５８）。
【０１２７】
すなわち、前述したように、被保留端末Ｙへの保留音が停止することで、被保留端末Ｙの使用者は、呼の転送が完了したことを知り、転送先端末Ｗとの通話を開始する。このときの通話用の音声データパケットは、それぞれの端末Ｙ，Ｗ用のメディアスイッチ１５Ａにおけるメディア待ち受け用ＩＰアドレスおよびポート番号を宛先アドレスとして送信されることで両端末間で音声通話がなされることになる。
【０１２８】
すなわち、メディアスイッチ１５Ａは、端末Ｗから受け取った音声データパケットの送信先アドレスは、音声データパケットアドレス変換部３１６において、端末Ｙのメディア待ち受け用ＩＰアドレスおよびポート番号に変換して、ＬＡＮ１１Ａに送出し、端末Ｙに向けて送信する。また、メディアスイッチ１５Ａは、端末Ｙから受け取った音声データパケットの送信先アドレスは、音声データパケットアドレス変換部３１６において、端末Ｗのメディア待ち受け用ＩＰアドレスおよびポート番号に変換して、ＬＡＮ１１Ａに送出し、端末Ｗに向けて送信する（ステップＳ２４２）。
【０１２９】
そして、メディア接続変更結果ＯＫを受信した主装置１２Ａは、発信端末Ｘに対して転送受付のメッセージを送り（図１２のステップＳ１５９）、発信端末Ｘからの切断メッセージを受信したことを判別すると（ステップＳ１６０）、発信端末Ｘに対して応答ＯＫを送り、発信端末Ｘについて切断処理を行なう（ステップＳ１６１）。そして、図１０のステップＳ１２１に戻る。
【０１３０】
以上により、保留中であった着信端末Ｙと転送先端末Ｗとの通話が可能となる。つまり、呼が転送されるものである。このときの通話路および呼制御メッセージの経路の状態を、図１９に示す。この図１９においても、二重線の矢印は、音声通路を示し、実線矢印は、制御系メッセージの伝送路を示している。
【０１３１】
なお、主装置１２Ａにおいて、図１２のステップＳ１５４で転送要求を受信せずに保留解除要求を受信したと判別したときには（ステップＳ１６２）、メディアスイッチ１５Ａに保留解除のメディア接続変更要求を送って、発信端末Ｘと転送先端末Ｗとの通話路を切断させ、発信端末Ｘと着信端末Ｙとの間の通話路を生成する元の状態に復帰させる（ステップＳ１６３）。そして、図１０のステップＳ１２１に戻る。
【０１３２】
これに対応して、メディアスイッチ１５Ａでは、図１５のステップＳ２３６で転送要求のメディア接続変更要求を受信することなく、保留解除のメディア接続変更要求を受信したときには（ステップＳ２４３）、発信端末Ｘと転送先端末Ｗとの通話路を消去して、保留要求した発信端末Ｘと、被保留端末Ｙとの間の音声データ経路を再度生成するようにする（ステップＳ２４４）。そして、図１３のステップＳ２０９に戻る。
【０１３３】
以上のようにして、この実施形態によれば、ＶｏＩＰ電話システム内のメディアスイッチを用いることにより、当該ＶｏＩＰ電話システム内の電話端末間における保留、転送が容易に行なえるものである。
【０１３４】
なお、上述の実施形態の説明においては、保留要求は、発信端末が送出するようにしたが、着信端末が送出するようにすることも勿論できる。
【０１３５】
また、上述の実施形態の説明は、同じ一つのＶｏＩＰ電話システム内の複数の電話端末についての通話、保留、転送についてであるが、ルーターを用いた他のＶｏＩＰ電話システム内の電話端末との間における通話、保留、転送についても全く同様に適用できる。次に、その場合について説明する。
【０１３６】
［２］二つのＶｏＩＰ電話システム間における通話、保留、転送の処理動作
以下に説明する例は、図５および図６に示したシーケンスのようにして、ＶｏＩＰ電話システム１Ａ内の発信端末Ｘと着信端末Ｙとの間で通話路が形成された後、発信端末Ｘからの保留要求により保留された状態において、発信端末Ｘが、ＶｏＩＰ電話システム１Ｂに含まれる端末Ｚを転送先端末として転送処理する場合の例である。
【０１３７】
図２０および図２１は、この場合のシーケンスの要部を示すもので、図面サイズの都合上、２図に分けたものである。図２０は、ＶｏＩＰ電話システム１Ａ側での処理シーケンスを示し、図２１は、ＶｏＩＰ電話システム１Ｂ側の処理シーケンスを示しており、図２０と図２１とは、丸で囲んだ英記号Ａ，Ｂ，Ｃ，Ｄの部分で接続されるものである。
【０１３８】
この図２０および図２１では、端末Ｘから端末Ｙに対して発信を行ない、両端末Ｘ，Ｙの間で通話がなされた後、保留するまでのシーケンスは、図５および図６のとおりで、全く同一であるので、省略した。
【０１３９】
なお、この図２０および図２１においても、一重線の実線矢印は、ＳＩＰ標準の呼制御のためのメッセージであり、点線で示したものは、ユニキャストパケットによるローカルなメッセージである。そして、音声データは、二重線の実線矢印で、その伝送路を示した。
【０１４０】
図２０に示すように、この例においては、被保留端末を端末Ｙとした呼の保留中において、保留要求したＶｏＩＰ電話システム１Ａ内の発信端末Ｘは、転送先端末としてＶｏＩＰ電話システム１Ｂ内の電話端末Ｚを指定した発信メッセージを主装置１２Ａに送る。この発信メッセージには、着番号の情報、発信端末Ｘのメディア待ち受け用アドレス情報（ＩＰアドレスとポート番号）およびメディア種別の情報が含まれる。
【０１４１】
主装置１２Ａは、この発信メッセージを受け取ると、それに含まれる着番号を解析して、着信先を決定する。そして、主装置１２Ａは、発信端末Ｘに対して発信受付メッセージを返す。
【０１４２】
また、主装置１２Ａは、メディアスイッチ１５Ａにメディア情報設定取得要求を送る。このメディア情報設定取得要求には、発信端末Ｘのメディア待ち受け用ＩＰアドレスとポート番号の情報が含まれる。
【０１４３】
メディアスイッチ１５Ａは、主装置１２Ａからのメディア情報設定取得要求を受信すると、それに含まれる発信端末Ｘのメディア待ち受け用アドレス情報を取得して記憶する。そして、メディアスイッチ１５Ａは、メディア取得情報を主装置１２Ａに返す。
【０１４４】
このメディア取得情報には、発信端末Ｘ用のメディアスイッチ１５Ａのメディア待ち受け用ＩＰアドレスとポート番号の情報と、着信相手用のメディアスイッチ１５Ａのメディア待ち受け用ＩＰアドレスとポート番号の情報とが含まれる。着信相手は、ＶｏＩＰ電話システム１Ｂに含まれる電話端末Ｚであるので、この着信相手用のアドレス情報は、システム１Ｂ用のメディア待ち受け用アドレス情報として主装置１２Ａで認識されることになる。
【０１４５】
このメディア取得情報を受け取った主装置１２Ａは、電話端末Ｚを着信先とする発信メッセージを、ＶｏＩＰ電話システム１Ｂの主装置１５Ｂに宛てて、ルーター１４Ａおよび１４Ｂを通じて送る。この発信メッセージには、ＶｏＩＰ電話システム１Ｂ用のメディアスイッチ１５Ａのメディア待ち受け用アドレス情報（ＩＰアドレスとポート番号）およびメディア種別情報が含まれる。
【０１４６】
図２１に示すように、この端末Ｚへの発信メッセージを受け取った主装置１２Ｂは、当該ＶｏＩＰ電話システム１Ｂ内のメディアスイッチ１５Ｂに対してメディア情報設定取得要求を送る。このメディア情報設定取得要求には、メディアスイッチ１５Ａのメディア待ち受け用ＩＰアドレスとポート番号の情報が含まれる。
【０１４７】
メディアスイッチ１５Ｂは、このメディア情報設定取得要求を受信すると、それに含まれるメディアスイッチ１５Ａのメディア待ち受け用ＩＰアドレスとポート番号の情報を取得して記憶する。そして、メディアスイッチ１５Ｂは、メディア取得情報を主装置１２Ｂに返す。
【０１４８】
このメディア取得情報には、メディアスイッチ１５Ａ用のメディアスイッチ１５Ｂのメディア待ち受け用ＩＰアドレスとポート番号の情報と、着信相手用のメディアスイッチ１５Ｂのメディア待ち受け用ＩＰアドレスとポート番号の情報とが含まれる。着信相手は、電話端末Ｚであるので、この着信相手用のアドレス情報は、着信端末Ｚ用のメディア待ち受け用ＩＰアドレスとポート番号の情報として主装置１２Ｂで認識されることになる。
【０１４９】
このメディア取得情報を受け取った主装置１５Ｂは、着信端末Ｚに対して発信メッセージを転送する。この発信メッセージには、着信端末Ｚ用のメディアスイッチ１５Ｂのメディア待ち受け用ＩＰアドレスとポート番号の情報およびメディア種別情報が含まれる。
【０１５０】
したがって、着信端末Ｚは、この発信メッセージから、発信端末Ｘに対する音声データの宛先アドレスとして、当該メディアスイッチ１５Ｂにおけるメディア待ち受け用ＩＰアドレスとポート番号を認識することができる。そして、着信端末Ｚは、発信要求を受け付けることができる状態であれば、発信要求受付メッセージを主装置１２Ｂに返す。
【０１５１】
また、着信端末Ｚは、当該着信端末Ｚのメディア待ち受け用ＩＰアドレスとポート番号の情報およびメディア種別情報を含む応答メッセージを主装置１２Ｂに返す。主装置１２Ｂは、受信した着信端末Ｚのメディア待ち受け用ＩＰアドレスとポート番号の情報およびメディア種別情報を含むメディア情報設定を、メディアスイッチ１５Ｂに送る。メディアスイッチ１５Ｂは、このメディア情報設定を受信することにより、着信端末Ｚの音声データの待ち受け用アドレス情報を知り、それを記憶する。
【０１５２】
メディア情報設定をメディアスイッチ１５Ｂに送信した主装置１２Ｂは、メディアスイッチ１５Ｂのメディア待ち受け用ＩＰアドレスとポート番号の情報およびメディア種別情報を含む応答メッセージを、ルーター１４Ｂおよび１４Ａを通じて、ＶｏＩＰ電話システム１Ａの主装置１２Ａに転送する。
【０１５３】
この応答メッセージを受信した主装置１２Ａは、受信したメディアスイッチ１５Ｂのメディア待ち受け用アドレス情報を含むメディア情報設定をメディアスイッチ１５Ａに送る。メディアスイッチ１５Ａは、このメディアスイッチ１５Ｂのメディア待ち受け用アドレス情報を、着信端末Ｚに対するメディア待ち受け用アドレス情報として記憶する。
【０１５４】
応答メッセージを受信した主装置１２Ａは、また、メディアスイッチ１５Ａから受信していた発信端末Ｘ用のメディアスイッチ１５Ａのメディア待ち受け用アドレス情報およびメディア種別情報を、発信端末Ｘに送る。発信端末Ｘは、この発信端末Ｘ用のメディアスイッチ１５Ａのメディア待ち受け用アドレス情報を、着信端末Ｚからの音声データパケットを受け取るためのアドレス情報として認識する。
【０１５５】
以上のようにして、呼制御メッセージの授受がなされることにより、メディアスイッチ１５Ａ，１５Ｂを通じて、発信端末Ｘと着信端末Ｚとの間で音声データパケットがやり取りされて、通話が行なわれる。
【０１５６】
すなわち、発信端末Ｘからは、呼制御メッセージの授受により主装置１２Ａから通知されたメディアスイッチ１５Ａの発信端末Ｘ用のメディア待ち受け用ＩＰアドレスおよびポート番号を宛先アドレスとして音声データパケットが送出される。したがって、この発信端末Ｘからの音声データパケットは、メディアスイッチ１５Ａで受信される。
【０１５７】
この音声データパケットを受信したメディアスイッチ１５Ａは、宛先アドレスを、メディアスイッチ１５Ｂのメディアスイッチ１５Ａ用のメディア待ち受け用ＩＰアドレスとポート番号の情報に変換してルーター１４Ａを通じてＩＰネットワーク２に送出する。したがって、このメディアスイッチ１５Ａからの音声データパケットは、ＶｏＩＰ電話システム１Ｂのルーター１４Ｂを通じてメディアスイッチ１５Ｂで受信される。
【０１５８】
メディアスイッチ１５Ｂは、受け取った音声データパケットの宛先アドレスを、着信端末Ｚのメディア待ち受け用ＩＰアドレスとポート番号の情報に変換して送出する。したがって、着信端末Ｚに当該音声データパケットが到達する。
【０１５９】
逆に、着信端末Ｚからは、呼制御メッセージの授受により主装置１２Ｂから通知されたメディアスイッチ１５Ｂの着信端末Ｚ用のメディア待ち受け用ＩＰアドレスおよびポート番号を宛先アドレスとして音声データパケットが送出される。したがって、この着信端末Ｚからの音声データパケットは、メディアスイッチ１５Ｂで受信される。
【０１６０】
この音声データパケットを受信したメディアスイッチ１５Ｂは、宛先アドレスを、メディアスイッチ１５Ａのメディアスイッチ１５Ｂ用のメディア待ち受け用ＩＰアドレスとポート番号に変換してルーター１４Ｂを通じてＩＰネットワーク２に送出する。したがって、このメディアスイッチ１５Ｂからの音声データパケットは、ＶｏＩＰ電話システム１Ａのルーター１４Ａを通じてメディアスイッチ１５Ａで受信される。
【０１６１】
メディアスイッチ１５Ａは、受け取った音声データパケットの宛先アドレスを、発信端末Ｘのメディア待ち受け用アドレス情報に変換して送出する。したがって、発信端末Ｘに当該音声データパケットが到達する。
【０１６２】
以上の発信端末Ｘからの着信端末Ｚへの発信から、通話路形成までにおける呼制御メッセージと、その経路および通話路の状態を図２２に示す。この図２２においても、二重線の矢印は、音声通路を示し、点線はユニキャストパケットによるローカルなメッセージの伝送路を示し、実線矢印は、制御系メッセージの伝送路を示している。
【０１６３】
この図２２は、保留状態における発信端末Ｘからの着信端末Ｚヘ宛てての発信のみではなく、発信端末Ｘからの着信端末Ｚヘ宛てての一般的な発信動作時を説明するものとなっている。
【０１６４】
図２０に戻って、上述のようにして、発信端末Ｘが転送先としての端末Ｚを呼び出して、両端末間において通話を行なった後、発信端末Ｘが主装置１２Ａに対して、転送要求を送ると、主装置１２Ａは、メディアスイッチ１５Ａに対して、端末Ｙと端末Ｚを接続するように要求するメディア接続変更要求を送出する。
【０１６５】
メディアスイッチ１５Ａでは、着信端末Ｙに対して保留音を送っていて、当該メディアスイッチ１５Ａと着信端末Ｙとの間の通話路は保持しており、当該保持していた着信端末Ｙと、端末Ｚとを接続するように通話路を変更する。
【０１６６】
すなわち、メディアスイッチ１５Ａは、それまで、端末Ｚからの音声データパケットは、端末Ｘに送るように宛先アドレス情報の変換をしていたのを、端末Ｚからの音声データパケットは、端末Ｙに送るように宛先アドレス情報の変換を変更する。そして、端末Ｙからの音声データパケットの宛先アドレスは、端末Ｚに送るようにするためメディアスイッチ１５Ｂのメディア待ち受け用アドレス情報にして、送出するようにする。
【０１６７】
そして、メディアスイッチ１５Ａは、メディア接続変更ができたときには、メディア接続変更結果としてＯＫを主装置１２Ａに送る。主装置１２Ａは、このメディア接続変更結果ＯＫを受けると、発信端末Ｘに対して転送受付メッセージを返す。転送受付メッセージを受けると発信端末Ｘは、切断メッセージを主装置１２Ａに返す。主装置１２Ａは、その応答メッセージＯＫを発信端末Ｘに返して、転送完了となる。
【０１６８】
以上の例は、同じＶｏＩＰ電話システム内の端末Ｙを通話中の発信端末Ｘが保留要求し、その後、異なるＶｏＩＰ電話システム内の端末Ｚを呼び出して、端末Ｙと端末Ｚとの間で通話をさせるように転送する場合であるが、ＶｏＩＰ電話システム１Ａ内の発信端末Ｘから、異なるＶｏＩＰ電話システム１Ｂ内の着信端末Ｚに発信を行なって通話中となっている状態において、発信端末Ｘが保留要求をし、自分が含まれるＶｏＩＰ電話システム１Ａ内の他の端末に転送する場合にも、また、着信端末Ｚが保留要求をし、自分が含まれるＶｏＩＰ電話システム１Ｂ内の他の端末に転送するようにする場合にも、適用可能である。
【０１６９】
［一斉音声呼び出しの説明］
以上の説明は、呼の保留および転送の場合であるが、メディアスイッチを用いることにより、いわゆるビジネスボタン電話における一斉音声呼び出しが可能になる。この一斉音声呼び出しの機能を装備する場合には、ＶｏＩＰ電話システムの主装置が備える不揮発性メモリには、一斉音声呼び出しのグループを構成する端末が予め登録されて記憶されている。この一斉音声呼び出しのグループは、複数個登録することが可能であり、それぞれのグループには、特別の番号（ページング特番）が予め付与されている。
【０１７０】
この一斉音声呼び出しの処理は、マルチキャストパケットを用いることで可能となり、ルーターを超えてマルチキャストパケットの伝送は不能であるので、この例では、一つのＶｏＩＰ電話システム内における一斉音声呼び出し（以下、一斉音声呼び出しをページングという）について説明する。
【０１７１】
図２３は、このページングの処理シーケンス例を示す図である。この図２３の例は、ＶｏＩＰ電話システム１Ａにおいて、３個の電話端末Ａ，Ｂ，Ｃがページングのグループを構成しており、このページングのグループを指定したページング特番への発信が、端末Ａからなされた場合である。
【０１７２】
すなわち、図２３に示すように、先ず、電話端末Ａから３個の電話端末Ａ，Ｂ，Ｃのグループを指定するページング特番への発信メッセージが主装置１２Ａに対して送られる。
【０１７３】
このページング特番への発信メッセージを受け取った主装置１２Ａは、ページングサービスを起動する。そして、主装置１２Ａは、発信端末Ａに発信受付メッセージを返すと共に、メディアスイッチ１５Ａに、ページングのメディア情報設定取得要求を送る。このメディア情報設定取得要求には、発信端末Ａのメディア待ち受け用ＩＰアドレスとポート番号の情報を含む。
【０１７４】
このメディア情報設定取得要求を受け取ったメディアスイッチ１５Ａは、メディア情報設定取得応答を主装置１２Ａに返す。このメディア情報設定取得応答には、端末Ａ用のメディアスイッチ１５Ａのメディア待ち受け用ＩＰアドレスとポート番号の情報およびメディア種別と、メディアスイッチ１５Ａが送信する送信元マルチキャストアドレス情報とが含まれる。
【０１７５】
メディア情報設定取得応答を受信した主装置１２Ａは、前記端末Ａ用のメディアスイッチ１５Ａのメディア待ち受け用ＩＰアドレスおよびポート番号の情報、メディア種別情報を含めたページング応答メッセージを発信端末Ａに返す。これにより、発信端末Ａは、ページングのために発信する音声データパケットの宛先としてメディアスイッチ１５Ａのメディア待ち受け用ＩＰアドレスおよびポート番号の情報を用いるように認識する。
【０１７６】
主装置１２Ａは、また、メディアスイッチ１５Ａが送信する送信元マルチキャストアドレス情報を含むページング開始要求を、マルチキャストパケットによって各端末Ａ，Ｂ，Ｃに送る。
【０１７７】
そして、発信端末Ａが音声データをユニキャストパケットによりメディアスイッチ１５Ａに送ると、メディアスイッチ１５Ａは、受信した音声データのユニキャストパケットを、マルチキャストパケットに変更して、端末Ａ，Ｂ，Ｃに対して送出する。
【０１７８】
以上のようにして、この実施形態においては、メディアスイッチを用いることにより、一斉音声呼び出し処理ができる。
【０１７９】
［他の実施形態］
上述の実施形態においては、主装置とメディアスイッチとは、別個に設けるようにしたが、主装置内にメディアスイッチの機能部を設けるようにしても良い。その場合には、保留音は、主装置から送出されることになる。
【０１８０】
なお、上述の実施形態の説明においては、相手端末が保留機能を有するか否かを問い合わせ、保留機能がないという応答が戻ってきたときにのみ、メディアスイッチを用いた保留、転送の機能を起動するようにしたが、相手端末が保留機能を有するか否かを問い合わせることなく、メディアスイッチを用いた保留、転送機能を起動するようにしても、勿論よい。
【０１８１】
【発明の効果】
以上説明したように、この発明によれば、音声データ伝送路制御手段を設けて、この音声データ伝送路制御手段を介して音声データのやり取りをすることにより、各ＶｏＩＰ用電話端末に保留、転送や一斉音声呼び出しなどの付加機能を設けなくても、それらの付加機能を実現することができる。
【図面の簡単な説明】
【図１】この発明によるＶｏＩＰ電話システムの実施形態の構成例を説明するための図である。
【図２】実施形態に用いるＶｏＩＰ用電話端末の構成例を示す図である。
【図３】実施形態に用いる主装置の構成例を示す図である。
【図４】実施形態に用いる音声データ伝送路制御手段（メディアスイッチ）の構成例を示す図である。
【図５】実施形態のＶｏＩＰ電話システムにおいて、発信から通話路生成までのシーケンスを説明するための図である。
【図６】実施形態のＶｏＩＰ電話システムにおいて、通話中から保留状態になるときのシーケンスを説明するための図である。
【図７】実施形態のＶｏＩＰ電話システムにおいて、呼の保留状態から呼の転送がなされるときのシーケンスの一部を説明するための図である。
【図８】実施形態のＶｏＩＰ電話システムにおいて、呼の保留状態から呼の転送がなされるときのシーケンスの続きを説明するための図である。
【図９】実施形態のＶｏＩＰ電話システムの主装置の処理動作を説明するためのフローチャートの一部である。
【図１０】実施形態のＶｏＩＰ電話システムの主装置の処理動作を説明するためのフローチャートの一部である。
【図１１】実施形態のＶｏＩＰ電話システムの主装置の処理動作を説明するためのフローチャートの一部である。
【図１２】実施形態のＶｏＩＰ電話システムの主装置の処理動作を説明するためのフローチャートの一部である。
【図１３】実施形態のＶｏＩＰ電話システムのメディアスイッチの処理動作を説明するためのフローチャートの一部である。
【図１４】実施形態のＶｏＩＰ電話システムのメディアスイッチの処理動作を説明するためのフローチャートの一部である。
【図１５】実施形態のＶｏＩＰ電話システムのメディアスイッチの処理動作を説明するためのフローチャートの一部である。
【図１６】実施形態のＶｏＩＰ電話システムにおいて、通話路およびその生成用の制御メッセージの伝送路を説明するための図である。
【図１７】実施形態のＶｏＩＰ電話システムにおいて、保留状態における通話路および制御メッセージの伝送路を説明するための図である。
【図１８】実施形態のＶｏＩＰ電話システムにおいて、保留状態において、転送先電話端末との通話を行なう場合の通話路および制御メッセージの伝送路を説明するための図である。
【図１９】実施形態のＶｏＩＰ電話システムにおいて、保留状態から転送先電話端末に転送がなされた場合の通話路および制御メッセージの伝送路を説明するための図である。
【図２０】実施形態のＶｏＩＰ電話システムを用いて、他のＶｏＩＰ電話システム内の電話端末に、保留中の呼を転送する際のシーケンスを説明するための図である。
【図２１】実施形態のＶｏＩＰ電話システムを用いて、他のＶｏＩＰ電話システム内の電話端末に、保留中の呼を転送する際のシーケンスを説明するための図である。
【図２２】実施形態のＶｏＩＰ電話システムを用いて、他のＶｏＩＰ電話システム内の電話端末との通話を行なうときの通話路および制御メッセージの伝送路を説明するための図である。
【図２３】実施形態のＶｏＩＰ電話システムを用いて、一斉音声呼び出しを行なう場合のシーケンスを説明するための図である。
【図２４】ＶｏＩＰ電話システムとして考えられる構成を示す図である。
【図２５】図２４のＶｏＩＰ電話システムを用いて通話を行なう場合の通話路および制御メッセージの伝送路を説明するための図である。
【図２６】図２４のＶｏＩＰ電話システムを用いて通話を行なう場合のシーケンス例を示す図である。
【図２７】図２４のＶｏＩＰ電話システムを用いて、他のＶｏＩＰ電話システム内の電話端末との通話を行なうときの通話路および制御メッセージの伝送路を説明するための図である。
【符号の説明】
１Ａ，１Ｂ  ＶｏＩＰ電話システム
１１Ａ，１１Ｂ  ＬＡＮ（ＩＰネットワーク）
１２Ａ，１２Ｂ  主装置
１３Ａ１〜１３Ａｎ、１３Ｂ１〜１３Ｂｍ  ＶｏＩＰ用電話端末
１４Ａ，１４Ｂ  ルーター
１５Ａ，１５Ｂ  メディアスイッチ（音声データ伝送路制御手段）
【図１】
2004320289.tif 000003
【図２】
2004320289.tif 000004
【図３】
2004320289.tif 000005
【図４】
2004320289.tif 000006
【図５】
2004320289.tif 000007
【図６】
2004320289.tif 000008
【図７】
2004320289.tif 000009
【図８】
2004320289.tif 000010
【図９】
2004320289.tif 000011
【図１０】
2004320289.tif 000012
【図１１】
2004320289.tif 000013
【図１２】
2004320289.tif 000014
【図１３】
2004320289.tif 000015
【図１４】
2004320289.tif 000016
【図１５】
2004320289.tif 000017
【図１６】
2004320289.tif 000018
【図１７】
2004320289.tif 000019
【図１８】
2004320289.tif 000020
【図１９】
2004320289.tif 000021
【図２０】
2004320289.tif 000022
【図２１】
2004320289.tif 000023
【図２２】
2004320289.tif 000024
【図２３】
2004320289.tif 000025
【図２４】
2004320289.tif 000026
【図２５】
2004320289.tif 000027
【図２６】
2004320289.tif 000028
【図２７】
2004320289.tif 000029